(57)【要約】【課題】装飾用の表示を容易に更新できるようにして、装飾性を高め、商品価値の向上を図ることができる薬剤拡散装置を提供する。【解決手段】薬剤を保持する薬剤保持手段１０１と、薬剤保持手段１０１を収容する器体１０２と、薬剤保持手段１０１内の薬剤を拡散させるための拡散手段１０３と、を備え、器体１０２の目視可能な位置に、表示更新手段１０４，１０５が設けられている薬剤拡散装置１００。【選択図】図１
2009201430.tif 000002
【特許請求の範囲】
【請求項１】
薬剤を保持するための薬剤保持手段と、
当該薬剤保持手段を収容するための器体と、
前記薬剤保持手段に保持された前記薬剤を拡散させるための拡散手段と、
を備えた薬剤拡散装置であって、
前記器体の目視可能な位置に、表示更新手段が設けられている
ことを特徴とする薬剤拡散装置。
【請求項２】
前記表示更新手段が、前記器体に、一体的に又は着脱自在に、設けられている
ことを特徴とする請求項１に記載の薬剤拡散装置。
【請求項３】
前記表示更新手段が、表示ボードと、当該表示ボードを収容し且つ前記表示ボードを表示するための窓を有するボードケースと、を有している
ことを特徴とする請求項１又は２に記載の薬剤拡散装置。
【請求項４】
前記表示ボードが、複数枚よりなり、
当該表示ボートの表面又は裏面が前記ボードケースの前記窓を通じて表示される
ことを特徴とする請求項３に記載の薬剤拡散装置。
【請求項５】
前記表示更新手段が、有機ＥＬディスプレイ又は液晶ディスプレイである
ことを特徴とする請求項３に記載の薬剤拡散装置。
【請求項６】
前記表示ボードが、巻回された長尺形状によりなり、巻回により更新表示される
ことを特徴とする請求項３記載の薬剤拡散装置。
【請求項７】
前記ボードケースが、前記表示ボードを収容するケース本体と、当該表示ボードを表示するための窓を有する窓体と、を有し、
これにより、用時に、当該ケース本体に当該窓体が連結されて前記表示ボードの更新が行われる
ことを特徴とする請求項３又は４に記載の薬剤拡散装置。
【発明の詳細な説明】
【技術分野】
【０００１】
本発明は、薬剤保持手段に保持されている殺虫剤や芳香剤等の薬剤を拡散するのに用いる薬剤拡散装置に関する。
【背景技術】
【０００２】
従来、香りを放つ器具として、例えば、特許文献１に記載された「香りディスプレイ」と呼ばれる、特定の芳香を放つ展示ディスプレイが知られている。この香りディスプレイは、食パン等の商品の外形を模して形作られた中空の擬似商品に吸気口と排気口とを形成するとともに、その擬似商品の中空部内に、真の商品特有の香りを発生する香料と、その香料が発する香りを排気口より放出する送風ファンと、が設けられたものである。
【０００３】
この香りディスプレイによれば、食パン等の商品を模した外形と匂いにより、視覚と嗅覚との同時に訴えながら真の商品の購買意欲等を刺激することができるとされる。
【０００４】
【特許文献１】特開昭５８−３０４３７号公報
【発明の開示】
【発明が解決しようとする課題】
【０００５】
ところで、芳香剤を収容するケースで、この芳香剤の香りに対応した疑似商品をデザインした場合には、そのケース内部に入れる芳香剤の種類を変更したからといって、これに応じて装飾の種類を容易に変更する（取り替える）ことはできなかった。例えば上記特許文献１では特定の商品価値しか演出できず、即ち、その装飾された真の商品のみしか対応できず、その装飾性において改善の余地があった。
【０００６】
また、家庭内等で薬液を雰囲気中に効果的に揮散させるものとして、加熱蒸散器が知られている。この蒸散器は、一般的に、蒸散器本体の内部に設けられた発熱体により、薬液を収納する容器から突出して設けられた吸液芯を加熱することにより、吸液芯に吸い上げられた薬液を蒸散させるものである。そして、その用途として芳香、消臭、殺虫、忌避等が挙げられ、近年では、様々な種類の薬液（芳香の種類）が用いられて多種多様なシーンで用いられるようになってきている。
【０００７】
加えて、芳香剤をケース内部に収納する、例えば前述の加熱蒸散器のみならず、収納された薬剤を雰囲気中に拡散させる、例えば害虫防除装置等においても、商品価値を高めるため、使用シーンに応じて、その装飾性を向上させる必要があった。
【０００８】
本発明は、前述した事情に鑑みてなされたものであり、その目的は、装飾用の表示を容易に更新できるようにして、装飾性を高め、商品価値の向上を図ることができる薬剤拡散装置を提供することにある。
【課題を解決するための手段】
【０００９】
本発明の前述した目的は、以下の構成により達成される。
（１）  薬剤を保持するための薬剤保持手段と、
当該薬剤保持手段を収容するための器体と、
前記薬剤保持手段に保持された前記薬剤を拡散させるための拡散手段と、
を備えた薬剤拡散装置であって、
前記器体の目視可能な位置に、表示更新手段が設けられている
ことを特徴とする薬剤拡散装置。
（２）  前記表示更新手段が、前記器体に、一体的に又は着脱自在に、設けられている
ことを特徴とする上記（１）の薬剤拡散装置。
（３）  前記表示更新手段が、表示ボードと、当該表示ボードを収容し且つ前記表示ボードを表示するための窓を有するボードケースと、を有している
ことを特徴とする上記（１）又は（２）の薬剤拡散装置。
（４）  前記表示ボードが、複数枚よりなり、
当該表示ボートの表面又は裏面が前記ボードケースの前記窓を通じて表示される
ことを特徴とする上記（３）の薬剤拡散装置。
（５）  前記表示更新手段が、有機ＥＬディスプレイ又は液晶ディスプレイである
ことを特徴とする上記（３）の薬剤拡散装置。
（６）  前記表示ボードが、巻回された長尺形状によりなり、巻回により更新表示される
ことを特徴とする上記（３）の薬剤拡散装置。
（７）  前記ボードケースが、前記表示ボードを収容するケース本体と、当該表示ボードを表示するための窓を有する窓体と、を有し、
これにより、用時に、当該ケース本体に当該窓体が連結されて前記表示ボードの更新が行われる
ことを特徴とする上記（３）又は（４）の薬剤拡散装置。
【００１０】
上記（１）の構成によれば、器体の正面や側面等の目視可能な位置に、表示更新手段が設けられているので、使用者の好み、又は使用シーンに応じて表示更新手段を更新することができる。これにより、装飾用の表示を容易に更新できるようにして、装飾性を高め、商品価値の向上を図ることができる。
上記（２）の構成によれば、表示更新手段が、器体に一体に設けられている場合には、器体を製造する際に、表示更新手段を同時に成形することができるため、部品点数の削減を図ることができる。一方、表示更新手段が、器体に着脱自在に設けられている場合には、器体の表面或いは裏面等の任意の場所を選んで、この場所に表示更新手段を配置することができる。このため、取り付け位置のバリエーションを高めることができる。
上記（３）の構成によれば、表示更新手段において、ボードケースに収容されている表示ボードを、ボードケースの窓から表示することで、フレームを有する絵画的な表現を行うことができて、商品価値を一層向上させることができる。
上記（４）の構成によれば、複数の表示ボードを表面又は裏面にしてボードケースに収容することで、使用者の好み又は使用シーンに応じて、ボードケースの窓を通じて種々の演出をすることができる。
上記（５）の構成によれば、表示更新手段が、有機ＥＬディスプレイ又は液晶ディスプレイであるので、種々の表示を電気的に更新して行うことができ、効果的な演出更新を行うことができる。
上記（６）の構成によれば、表示ボードが、巻回された長尺形状であって、巻回することにより更新されるようにすれば、引き抜いて差し替える取換え動作を行うことなく、単一の表示ボードでもって種々の演出更新を容易に行うことができる。
上記（７）の構成によれば、表示ボードの表示を変更するに際し、ケース本体を窓体に連結して、ケース本体に収容されている表示ボードを窓体に移すことで表示ボードの更新を容易に行うことができる。
【００１１】
ここで、表示ボードの意匠部における絵柄は、絵画（風景画、人物画等）、アニメーションキャラクターの画像や写真やカレンダー等を適用することができ、種々のイラストを適宜採用することができる。
【００１２】
また、本発明の薬剤拡散装置としては、熱、風、振動等の物理現象を利用して薬剤を雰囲気中に拡散させるものが例示でき、例えば拡散手段として熱を利用したものの場合には、正特性サーミスタ（ＰＴＣサーミスタ）又はニクロム線を発熱素子として用いたものが好適である。そして、この熱を利用したものについて、薬剤保持手段として吸液芯を用いた場合には、加熱温度制御手段により、特に限定されないが、発熱素子の表面温度が約４０〜２００℃、且つこの吸液芯の表面温度が３０〜１８５℃となるように設定するとよい。
そして、薬剤保持手段としてマットを用いたものについては、このマットに与える熱源としては６０〜１２０℃程度の熱を与えることができるものであればよく、抵抗ヒーター（ニクロム線等）、半導体（ＰＴＣ）を用いた発熱板や加熱ヒーター等の電気的なものが、汎用性があり、安全性の点からも好ましく、また、アルコール、ガス等燃焼熱を用いたもの、触媒による酸化反応を用いたもの、さらには空気及び／又は水と接触して発熱する鉄等の物質を用いる場合等、その拡散手段に特に制限されるものではない。
【００１３】
一方、風を利用するものについては、その拡散手段としてプロペラファン、シロッコファン等が挙げられ、そして振動を利用するものについては、その拡散手段として圧電素子、超音波振動素子等が挙げられる。
【００１４】
また、本発明に係る薬剤を保持する薬剤保持手段としては、吸液芯、マット、送風用担体等が挙げられ、また、このような薬剤保持担体のみならず、薬剤をそのまま内部に収納する容器も含むことができる。
【００１５】
吸液芯としては、フェルト、木綿、パルプ、不織布、石綿、無機質成形物質等からなるものが挙げられるが、フェルト芯（ポリアクリル等の樹脂からなる焼結芯を含む）、素焼芯（セラミック芯）、パルプ芯又は無機質成形芯が好適である。また、このとき、吸液芯が装着される容器としては、例えば、有底筒状の大径筒部の上部に小径筒部を備え、その小径筒部からこの吸液芯の先端部を露出させたものが好適である。
【００１６】
そして、マットとしては、薬剤を保持させるための基材を有したものを用いるとよい。この基材としては有機繊維を用いるとよく、この有機繊維としてリンター、パルプ等の天然繊維：羊毛、綿、絹等の動植物性繊維：レーヨン等の再生繊維：アクリル、ポリエステル等の合成繊維が挙げられ、またガラス繊維、石綿等の無機繊維等から得られる紙、不織布、黒鉛、ＣａＣＯ３、ＳｉＯ２、Ａｌ２Ｏ３等の無機質粉：焼結金属：ポリエチレン、ポリフッ化ビニリデン等のプラスチック発泡体が示される。これら基材の厚みは１〜７ｍｍ、好ましくは１．５〜４ｍｍがよく、この基材の大きさは、通常１〜１００ｃｍ２程度であるが特に制限されるものではない。また、その形状も、板状、円形状、多角形状、不定形状、筒状等適宜好ましい形状とすることができる。そして形態的には、蒸散面及び／又は被加熱面にアルミ等の金属薄膜を設けたものでもよい。
【００１７】
送風用担体としては、薄型で薬剤の揮散を妨げない構造のものを使用するのがよい。このような送風用担体は、その容積が小さくても揮散性に優れるので、薬剤が効率よく揮散し、その結果、揮散効果を発揮すると共に、これらの効果を維持することができる。
このような送風用担体としては、例えば、紙、糸（撚り糸等）、不織布、木材、パルプ、無機高分子物質、無機多孔質物質（ケイ酸塩、シリカ、ゼオライト等）、有機高分子物質（セルロース、ポリエチレン、ポリプロピレン、ポリビニルアルコール等）、昇華性物質（アダマンタン、シクロドデカン、パラジクロロベンゼン、ナフタリン、樟脳等）、樹脂類などが挙げられ、これらの１種以上を組み合わせて使用することができる。また、自重の数倍以上を保持できる担体、例えば、高吸液性ポリマー、綿、海綿体、連続気泡の発泡体などを用い、より小型化をしてもよい。さらに、紙等を使用する場合には、多数の連続的な空隙を有した、例えば、ハニカム構造、ネット構造等の担体とするのが好ましい。
また、送風用担体として薬剤が含浸された複数の粒状体（パルプ粒、シリカ等の多孔体等）を用意し、この複数の粒状体を、通気性を有したケース内に収納して送風用保持体として構成することもできる。さらに、例えば、前述の複数の粒状体又は不織布等のシート状の送風用担体を、ファン（シロッコファン等）内部又は外部に収納又は直接連結させて、ファンの回転と共に担体が協動するように構成することもできる。
薬剤用担体に前述したような薬剤（化合物）を保持させる方法として、例えば、滴下塗布、浸漬塗布、スプレー塗布、含浸、担体への練り込み等の方法が挙げられる。薬剤の保持量は、害虫の防除に有効な量を持続的に放出できる量であり、具体的には担体の単位面積当りの薬剤量が０．１〜１０ｍｇ／ｃｍ2程度になる量である。
【００１８】
前述したような、吸液芯、マット、送風用担体等の薬剤保持担体の材質としては、紙が最も好適である。紙を採用した場合には、漂白、未漂白いずれでも可能で安価である。他に合成繊維、不織布等でも良い。また、その形状については、積層ダンボール、渦巻状ダンボール等の固定型のものや切り込み板紙を十字に合わせた井型等の折りたたみ式のものも良い。
【００１９】
また、本発明に係る薬剤としては、殺虫剤、殺菌剤、殺ダニ剤、或は忌避剤、医薬品、芳香剤、消臭剤、化粧品等の薬剤が使用される。例えば、殺虫剤、芳香剤、消臭剤としては、それぞれ以下に示す薬剤を例示することができる。
殺虫剤としては、ピレスロイド系化合物が挙げられる。
芳香剤としては、食品関連の香料を例として挙げることができる。例えば、食品であれは、ホットケーキ、ショートケーキ、クロワッサン、ワッフル、フランスパン、焼肉、ラーメン等の香料、飲料であれば、コーヒー、レモンティー、カフェラテ、ワイン、お茶等の香料を挙げることができる。また、これら香料の溶剤としては、ジプロピレングリコール等のグリコール類、３−メトキシー３−メチル−１−ブタノール等のアルコール類、等を挙げることができ、特に香料を溶解しやすい３−メトキシー３−メチル−１−ブタノールとジプロピレングリコールとを用いてこの２種混合を行うことでその持続時間を調整することが可能になる。
消臭剤としてはラウリル酸メタクリレート(ＬＭＡ)等を用いることができる。
また、前述のもの以外にも通常用いられている香料等の薬剤や効力増強剤、揮散率向上剤、溶剤等も任意に配合することができる。
香料としてはシトラール、シトロネラール等を用いることができる。
効力増強剤としては、ピペロニルブトキサイド、Ｎ−プロピルイゾーム、ＭＧＫ−２６４、サイネピリン２２２、サイネピリン５００、リーセン３８４、ＩＢＴＡ、Ｓ４２１等を用いることができる。
揮散率向上剤としては、フエネチルイソチオシアネート、ハイミックス酸ジメチル等を用いることができる。揮散速度を調節する薬剤、例えば可塑剤に用いられる二塩基酸ジエステルや液状高沸点アルコール・エステルを用いることができる。
溶媒としては、例えば、飽和脂肪族炭化水素及び不飽和脂肪族炭化水素等の溶媒を用いることができる。
その他、アルコール類、エチレングリコールモノブチルエーテル等のエーテル類、グリコール類、イソプロピルミリステートやブチルステアレート等のエステル類、等の溶媒をそれぞれ例示できる。
【００２０】
なお、殺虫剤の種類によって異なるが、吸液芯を用いる場合には、薬剤（薬液）中の薬剤濃度は、０．３〜２０％とすることができる。蚊を駆除する目安として、プラレトリンなら３０日用の薬剤が収納された容器で０．６６％、６０日用で１．３３％、９０日用で１．９９％が、容器(４５ｃｃ)における標準的な濃度である。また、別の目安として、有効成分の気中濃度を１ｍｇ／１畳となるように揮散させることが挙げられる。
【００２１】
マットを用いる場合、対象となる、蚊、ブヨ、ハエ等を防除できる所望の空間での有効成分の濃度を意味し、例えば、蚊を対象とした場合では、ピナミン・フォルテでは１．５ｍｇ／時間以上、バイオアレスリンでは１．２ｍｇ／時間以上、エキスリンでは０．７ｍｇ／時間以上、プラレトリンでは０．４ｍｇ／時間以上の蒸散が得られればよく、前述の有効量を充足する目安として示される。
【００２２】
送風用担体として用いる場合、蚊を駆除する目安として、プラレトリンの場合には、有効成分の気中濃度を１ｍｇ／１畳となるように揮散させることが挙げられる。
【００２３】
そして害虫防除が要求される害虫として、例えばゴキブリ、ハエ、蚊、ヌカカ、アブ、ノミ、ナンキンムシ等の衛生害虫ないし吸血害虫、イガ、コイガ等の衣類害虫、コクヌストモドキ、コクゾウムシ等の貯穀害虫、イエダニ、ツメダニ、コナダニ等のダニ類、アリ、シロアリ、ナメクジ等を例示することができる。
【発明の効果】
【００２４】
本発明に係る薬剤拡散装置によれば、装飾用の表示を容易に更新できるようにして、装飾性を高め、商品価値の向上を図ることができる薬剤拡散装置を提供することができる。
【発明を実施するための最良の形態】
【００２５】
以下、本発明に係る好適な複数の実施形態について、図を参照しながら説明する。
【００２６】
（第１実施形態）
まず、本発明に係る第１実施形態について説明する。
図１〜図５は本発明に係る薬剤拡散装置の第１実施形態を示すもので、図１は本発明の第１実施形態に係る薬剤拡散装置の一部破断右側面図、図２は図１の薬剤拡散装置の平面図、図３、図４、図５は図１の薬剤拡散装置における表示ボードの更新を説明するそれぞれ正面図である。
なお、今回開示される実施の形態は、すべての点で例示であって制限的なものではないと考えられるべきである。本発明の範囲は、下記の説明に限定されず、特許請求の範囲により示され、特許請求の範囲と均等の意味及び範囲内でのすべての変更が含まれることが意図される。
【００２７】
図１に示すように、薬剤拡散装置１００は、加熱蒸散タイプの装置であり、容器１０１と、後述する吸液芯１０７が取り付けられた容器１０１を収容する器体１０２と、容器１０１内の薬剤を拡散させるための拡散手段である発熱体１０３と、表示更新手段であるボードケース１０４及び表示ボード１０５と、を主に備えて構成される。
【００２８】
容器１０１は、殺虫剤、殺菌剤、殺ダニ剤、忌避剤、芳香剤、医薬品又は化粧品等の薬剤（薬液）を収容しており、上部外周面に雄ねじ部１０６が形成されている。
【００２９】
容器１０１には、薬剤を保持する薬剤保持手段である吸液芯１０７が組み付けられている。吸液芯１０７は、容器１０１の中央部にほぼ垂直な状態で配置されており、下部のほぼ半分を容器１０１内の薬剤に浸漬されていると共に、上部が容器１０１の上方に突出して配置されている。
【００３０】
吸液芯１０７の素材としては、フェルト、木綿、パルプ、不織布、石綿、無機質成形物等が挙げられるが、ポリアクリル等の樹脂材からなる焼結芯を含むフェルト芯、セラミック芯等の素焼芯、パルプ芯又は無機質成形芯が好適に用いられる。
【００３１】
器体１０２は、樹脂製であって、容器１０１を覆うようナドム形状に形成されており、内周部に、容器１０１の雄ねじ部１０６がねじ込まれる雌ねじ部１０８を有し、上部に、丸孔に形成された蒸散孔１０９を有する。また、器体１０２は、背面の下部にプラグ１１０を有する。
【００３２】
発熱体１０３は、器体１０２の雌ねじ孔１０８の上部に組み付けられており、プラグ１１０に電気的に接続されている。発熱体１０３には、吸液芯１０７が差し込まれている。
【００３３】
ボードケース１０４は、器体１０２において目視可能な正面に一体成形されており、複数の例えば５枚の表示ボード１０５を収容する内形のボード収容部１１１と、ボード収容部１１１の正面側に形成された窓１１２と、上部の開口１１３と、を有する。ボードケース１０４は、正面に代えて、器体１０２の目視可能な側面等に配置されても良い。
また、窓１１２を覆うように透明フィルムをボードケース１０４の正面から貼り付けてもよいし、或いは窓１１２を設けずにボードケース１０４全体を透明樹脂等で形成してもよい。
【００３４】
表示ボード１０５は、例えば紙製や木製の板形状に形成されており、上部にタブ１１４を有する。タブ１１４は、ボードケース１０４の上方に突出して配列される。
【００３５】
図２に示すように、５枚の表示ボード１０５は、ボードケース１０４のボード収容部１１１内に収められる。このとき、タブ１１４は、５枚の表示ボード１０５が重ね合わされた際に、重ならないように互い違いに配置されるようになっている。
【００３６】
図３に示すように、表示ボード１０５は、表面に、例えばキキョウの絵柄である第１の意匠部１１５が描かれている。そのため、ボードケース１０４のボード収容部１１１内に表面を窓１１２に向けて表示ボード１０５を収めることで、窓１１２を通じて第１の意匠部１１５を表示することができる。
【００３７】
図４に示すように、表示ボード１０５は、裏面に、例えば山の絵柄である第２の意匠部１１６が描かれている。そのため、表面に代えて裏面を窓１１２に向けてボードケース１０４を収めることで、窓１１２を通じて第２の意匠部１１６を表示して更新することができる。
【００３８】
図５に示すように、第１の意匠部１１５を表面に有する表示ボード１０５に代えて、残りの４枚のうちの１枚の表面を窓１１２に向けてボードケース１０４に入れ替えることで、表面を窓１１２に向けた表示ボード１０５の表面に描かれている、例えば菊の絵柄である第３の意匠部１１７を、窓１１２から表示して更新することができる。
【００３９】
このような薬剤拡散装置１００は、プラグ１１０が室内等の不図示のコンセントに差し込まれると、プラグ１１０を通じて発熱体１０３に所定の電流が供給されることで、発熱体１０３が発熱して、吸液芯１０７の上部を加熱させる。そして、容器１０１内の薬剤を吸芯している吸液芯１０７の上部において、その薬剤が、気化されて蒸散口１０９を通じて室内空間に蒸散されることとなる。このとき、容器１０１及び器体１０２と、ボードケース１０４と、の間に所定の隙間空間が形成されるので、この隙間空間内で、上昇気流を効率よく案内できて、室内空間への蒸散の効果を高めることができる。
なお、ここで、ボードケース１０４の下端面と容器１０１の下端面との水平位置が一致するように構成するとよい。この場合には、プラグ１０１に延長ケーブルを差し込み、所定の箇所の設置面に対し、安定して薬剤拡散装置１００を設置することができて好適である。
【００４０】
そして、このような用時において、５枚の表示ボード１０５を、表裏を含めて入れ替えて更新することで、季節や気分及び好みに応じて、薬剤拡散装置１００の正面において、種々の意匠部１１５，１１６，１１７・・・による演出が行われる。
【００４１】
(第１変形例)
次に、図６を参照して、本発明に係る薬剤拡散装置の第１変形例について説明する。図６は第１変形例の一部破断側面図である。
【００４２】
本変形例では、ボードケース１０４が器体１０２とは別体に形成されており、そのボードケース１０４が連結具１２０を介して器体１０２に着脱自在に取り付けられている。
【００４３】
連結具１２０は、例えば樹脂製であって、中央部の腕部１２１の一端部に、ボードケース１０４を挟み込むようなコ字形状のボードケース把持部１２２を有し、腕部１２１の他端部に、器体１０２の蒸散孔１０９にスナップアクション的に係止される係止突起１２３が形成された筒部１２４を有する。
【００４４】
本変形例の薬剤拡散装置１００では、連結具１２０の筒部１２４を器体１０２の蒸散孔１０９に差し込むことで、係止突起１２３が蒸散孔１０９に係止される。このとき、蒸散孔１０９が丸孔であるために、連結具１２０は、筒部１２４を中心として器体１０２の周囲を回動されることで、器体１０２の正面に加えて両側面等の任意の位置にボードケース１０４を配置することができる。
【００４５】
そして、任意の位置に配置されたボードケース１０４において、収められている表示ボード１０５を、表裏を含めて入れ替えて更新することで、季節や気分及び好みに応じて、薬剤拡散装置１００の任意の位置において、種々の意匠部１１５，１１６，１１７・・・による演出が行われる。
【００４６】
(第２変形例)
次に、図７を参照して、本発明に係る薬剤拡散装置の第２変形例について説明する。図７は第２変形例の一部破断側面図である。
【００４７】
本変形例では、ボードケース１０４が器体１０２とは別体に形成されており、そのボードケース１０４に、器体１０２に着脱自在に取り付けるための係合部１３０が設けられている。
【００４８】
係合部１３０は、ボードケース１０４の裏面、即ち器体１０２の正面側において、例えばコ字形状に形成されており、一端部に係止突部１３１を有する。
【００４９】
本変形例の薬剤拡散装置１００では、ボードケース１０４の係合部１３０を器体１０２の下方側から器体１０２の正面側に押圧進行させていき、係止突部１３１でもって器体１０２を挟み込むことで、ボードケース１０４が器体１０２の正面に固定される。
【００５０】
本変形例においても、第１変形例と同様にして、ボードケース１０４の係合部１３０は、器体１０２の周囲の任意の位置に係止させることができるために、任意の位置に配置されたボードケース１０４において、収められている表示ボード１０５を、表裏を含めて入れ替えて更新することで、季節や気分及び好みに応じて、薬剤拡散装置１００の任意の位置において、種々の意匠部１１５，１１６，１１７・・・による演出が行われる。
【００５１】
以上説明したように、本発明の第１実施形態に係る薬剤拡散装置１００によれば、器体１０２の正面の目視可能な位置に、表示更新手段である表示ボード１０５を収容したボードケース１０４が設けられているために、使用者の好み、又は使用シーンに応じて表示ボード１０５を更新することができる。これにより、装飾用の表示を容易に更新できるようにして、装飾性を高め、商品価値の向上を図ることができる。
【００５２】
また、第１変形例に係る薬剤拡散装置１００によれば、表示更新手段のボードケース１０４が器体１０２に一体に設けられているために、器体１０２を製造する際に、ボードケース１０４を同時に作成することができるために、部品点数の削減を図ることができる。
【００５３】
また、第２変形例に係る薬剤拡散装置１００によれば、表示更新手段のボードケース１０４が、連結具１２０又は係合部１３０でもって器体１０２に着脱自在に設けられていることで、器体１０２の表面或いは裏面等の任意の場所を選んで、その場所に表示更新手段を配置することができる。そのため、取り付け位置のバリエーションを高めることができる。
また、この第１変形例及び第２変形例においても、前述した第１実施形態のように、ボードケース１０４の下端面と容器１０１の下端面との水平位置が一致するように構成するとよい。
【００５４】
また、本発明の第１実施形態に係る薬剤拡散装置１００によれば、表示更新手段において、ボードケース１０４に収容されている表示ボード１０５を、ボードケース１０４の窓１１２から表示することで、フレームを有する絵画的な表現を行って商品価値を向上させることができる。
【００５５】
また、薬剤拡散装置１００によれば、複数の表示ボード１０５を表面又は裏面にしてボードケース１０４に収容することで、使用者の好み又は使用シーンに応じて、ボードケース１０４の窓１１２を通じて種々の演出をすることができる。
【００５６】
（第２実施形態）
次に、図８及び図９を参照して本発明の第２実施形態について説明する。
図８は本発明の第２実施形態に係る薬剤拡散装置の斜め正面から視た外観斜視図、図９は図８の器体の断面を含む側面図である。
なお、以下の各実施形態において、上述した第１実施形態と重複する構成要素や機能的に同様な構成要素については、図中に同一符号あるいは相当符号を付することによって説明を簡略化あるいは省略する。
【００５７】
図８、図９に示すように、薬剤拡散装置２００は、容器１０１が、アルミニウム材料等の金属や耐熱性樹脂を用いて箱形状に形成されており、器体１０２の背面にプラグ１１０が配置されている。
【００５８】
薬剤拡散装置２００では、容器１０１内に、殺虫剤である薬剤２０１が収容されており、薬剤保持手段として機能している。そして、容器１０１の上部に、蒸散孔１０９を有する蓋２０２が被され、蓋２０２上に、バージンシールとして機能するガス不透過性フィルム２０３が貼り付けられている。また、容器１０１の下部に、拡散手段であるヒーター２０４が組み付けられている。
【００５９】
そして、薬剤拡散装置２００は、正面に、表示更新手段である有機ＥＬディスプレイ（ｏｒｇａｎｉｃ  ｅｌｅｃｔｒｏｌｕｍｉｎｅｓｃｅｎｃｅ  ｄｉｓｐｌａｙ）２０５が組み付けられている。有機ＥＬディスプレイ２０５は、器体１０２の下面に、有機ＥＬディスプレイ２０５に直交する角度でもって制御回路部２０６が配置されている。有機ＥＬディスプレイ２０５は、制御回路部２０６が器体１０２の下面に嵌め付けられることで、器体１０２の正面に配置され、制御回路部２０６がプラグ１１０に電気的に接続される。
【００６０】
薬剤拡散装置２００は、用時に、ガス不透過性フィルム２０３が剥されてから、プラグ１１０が室内等の不図示のコンセントに差し込まれると、プラグ１１０を通じてヒーター２０４に所定の電流が供給されることで、ヒーター２０４が発熱して、容器１０１内の薬剤２０１が加熱され、それに伴って、薬剤２０１中の殺虫成分が蒸散孔１０９を通じて空気中に蒸散されることとなる。
【００６１】
同時的に、制御回路部２０６に通電されることで、有機ＥＬディスプレイ２０５が窓１１２を通じて表示を始め、制御回路部２０６によって予め定められた時間や日時に応じて表示の更新がなされることとなる。
【００６２】
以上説明したように、第２実施形態の薬剤拡散装置２００によれば、表示更新手段が、液晶ディスプレイ２０５であることで、液晶ディスプレイ２０５によって種々の表示を電気的に更新して行うことができ、効果的な演出更新を行うことができる。
なお、本実施形態では、表示更新手段として有機ＥＬディスプレイを挙げて説明したが、種々の表示を電気的に更新して行うことができるものであれば、これに限らず、液晶ディスプレイ、通信カード等も適宜採用することができる。
【００６３】
（第３実施形態）
次に、図１０〜図１２を参照して本発明の第３実施形態について説明する。
図１０は本発明の第３実施形態に係る薬剤拡散装置の正面図、図１１は図１０の平面図、図１２は図１０の底面図である。
【００６４】
図１０、図１１、図１２に示すように、薬剤拡散装置３００は、ファンを用いた害虫防除装置であり、その器体１０２が、表面器体３０１と、中間器体３０２と、裏面器体３０３と、の３分割でなり、器体１０２内の表面器体３０１の裏面側に、害虫防除成分を含む薬剤を保持している薬剤保持手段である薬剤保持体３０４が組み付けられている。
【００６５】
薬剤拡散装置３００は、器体１０２内の薬剤保持体（送風用担体）３０４の近傍に、拡散手段であるファンを有するチャンバ３０５が収容されている。表面器体３０１には、排気口３０６が形成されていると共に、スイッチ３０７が設けられている。中間器体３０２の上面には、一方の吸気口３０８が形成されており、中間器体３０２の下面には、他方の吸気口３０９が形成されている。また、裏面器体３０２には、ベルト取付用のクリップ３１０が設けられている。
【００６６】
そして、ボードケース１０４は、中央部に窓１１２を有する表示部３１１と、表示部３１１の両側部に配置された一対の巻き取り部３１２，３１３と、反窓１１２側に形成された係止突起３１４と、を有する。
【００６７】
一方、表示ボード１０５は、フィルム状の長尺形状でなり、その片面に、複数の意匠部１１５，１１６，１１７・・・が連続的に整列して描かれており、表示部３１１を介してその両側の設けられた一対の巻き取り部３１２，３１３に引き出し自在に巻回されている。
【００６８】
表示ボード１０５は、係止突起３１４を表面器体３０１の排気口３０６に嵌め付けることで、前述の一対の巻き取り部３１２，３１３が表面器体３０１に係合して、表示部３１１と表面器体３０１との間に隙間が形成されると共に薬剤拡散装置３００の上下に開口が形成され、排気口３０６の排気容量を損なうことなく器体１０２の正面に取り付けられることになる。
【００６９】
薬剤拡散装置３００は、スイッチ３０７をオン切換えすることで、不図示の内部電池からチャンバ３０５に所定の電流が供給されてチャンバ３０５が駆動される。これにより、チャンバ３０５内が負圧になり、吸気口３０８，３０９から空気を吸引し、吸引した空気を薬剤保持体３０４に当たり、薬剤拡散装置３００の上下方向に気流が発生することになる。即ち、薬剤保持体３０４の薬剤が空気とともに排気口３０６から排気されることになる。
なお、このとき、クリップ３１０により、使用者の身体に薬剤拡散装置３００に取り付けられた場合には、身体表面に沿って上下方向に気流が発生するので、効率的な害虫防除効果を発揮することができる。
【００７０】
そして、このような用時に、巻き取り部３１２，３１３のうちのいずれか一方を巻くことで、いずれか他方から表示ボード１０５が表示部３１１へと順方向に移動され、好みの意匠部１１５，１１６，１１７・・・において巻き取りを中止することで、季節や気分に応じて、薬剤拡散装置３００の正面において、窓１１２を通じて、種々の意匠部１１５，１１６，１１７・・・による演出更新が行われる。
【００７１】
また、このような巻き取りを反対方向に行うことで、意匠部１１５，１１６，１１７・・・を反対方向に戻り移動させて、種々の意匠部１１５，１１６，１１７・・・による演出更新が行われる。
【００７２】
以上説明したように、第３実施形態の薬剤拡散装置３００によれば、表示ボード１０５が、巻回された長尺形状であって、巻回することによりボードケース１０４の窓１１２を通じて表示ボード１０５の表示を更新するようにすることで、引き抜いて差し替える取換え動作を行うことなく、単一の表示ボード１０５でもって種々の演出更新を行うことができる。
【００７３】
（第４実施形態）
次に、図１３及び図１４を参照して本発明の第４実施形態について説明する。
図１３は本発明の第４実施形態に係る薬剤拡散装置の縦断面図、図１４は図１３の薬剤拡散装置に適用されるボードケースの水平断面図である。
【００７４】
図１３、図１４に示すように、薬剤拡散装置４００は、超音波を利用した装置であり、薬剤４０１を収容して薬剤を保持する容器（即ち、薬剤を保持する薬剤保持手段ともいえる）１０１が、器体１０２に貯蔵されている液体４０２内に浸けられており、拡散手段である振動素子４０３が液体４０２の底部に組み付けられている。そして、薬剤拡散装置４００は、容器１０１上に、拡散手段の機能を促進するための筒体４０４と、送風手段４０５とを備える。
【００７５】
筒体４０４は、内方筒部４０６と外方筒部４０７とからなり、外方筒部４０７は、内方筒部４０６の下方側を覆うように一体的に設けられている。筒体４０４は、外方筒部４０７の下方端が、容器１０１の上端部に組付けられている拡散調整部材４０８を覆っている。
【００７６】
送風手段４０５は、ベンチュリー送風によって空気等の流体を供給する流体供給口４０９を有し、流体供給口４０９が筒体４０４の外方筒部４０７に取り付けられている。
【００７７】
一方、表示更新手段であるボードケース１０４は、複数の表示ボード１０５を収容するためのケース本体４１０と、表示ボード１０５を表示するための窓１１２を有する窓体４１１と、がそれぞれの開口４１２，４１３を向かい合わせるようにして、ヒンジ部材４１４によって回動自在に連結されている。
【００７８】
窓体４１１は、その背面に、容器１０１の正面に係止させるためのフック形状をなす係止部４１５を有するために、係止部４１５を容器１０１の正面側に係止させることで、容器１０１に組み付けられる。
【００７９】
窓体４１１にヒンジ連結されているケース本体４１０は、窓体４１１が容器１０１の正面に組み付けられることで、容器１０１の側部に配置される。
【００８０】
このような薬剤拡散装置４００は、振動素子４０３への通電によって振動素子４０３が超音波を発生すると、その振動成分が液体４０２を通じて薬剤４０１に伝達され、薬剤４０１が微粒化して拡散を始める。
【００８１】
同時的に、送風手段４０５が駆動されることで、空気が流体供給口４０９から外方筒部４０７内に図１３中の矢印Ｗ方向から上昇方向へと流れ、空気が筒体４０４内を上昇する際に、薬剤４０１の微粒子を伴いつつ筒体４０４から上方に放出される。
【００８２】
このような用時に、窓体４１１の窓１１２を通じて表示されている表示ボード１０５を更新するに際し、ヒンジ部材４１４を介して窓体４１１に対して一直線上になるようにケース本体４１０を回動させて連結状態とし、それらの開口４１２，４１３を一致させる。そして、ケース本体４１０に収容されている新たな表示ボード１０５を、窓体４１１に既に収容されている表示ボード１０５と入れ替えることで更新を行うこととなる。
【００８３】
以上説明したように、第４実施形態の薬剤拡散装置４００によれば、表示ボード１０５の表示を変更するに際し、ケース本体４１０を窓体４１１に連結して、ケース本体４１０に収容されている表示ボード１０５を窓体４１１に移すことで表示ボード１０５の更新を簡単に行うことができる。
【００８４】
（第５実施形態）
次に、図１５を参照して本発明の第５実施形態について説明する。
図１５は本発明の第５実施形態に係る薬剤拡散装置の縦断面図である。
【００８５】
図１５に示すように、薬剤拡散装置５００は、上下に通気口５０１，５０２を有する器体１０２内に、害虫防除液である薬剤５０３を収容して薬剤を保持する容器（即ち、薬剤保持手段ともいえる）１０１を倒立させて設置し、容器１０１の先端部に吸液材５０４を設け、この吸液材５０４に薬剤５０３を浸透させてなる。器体１０１には、拡散手段である超音波発振機（振動素子）５０５及びファン５０６が設けられている。
【００８６】
そして、表示更新手段であるボードケース１０４は、器体１０２の正面に一体成形されている。
【００８７】
このような薬剤拡散装置５００は、超音波発振機５０５を駆動させることで、超音波発振機５０５から発振された振動成分によって吸液材５０４に浸透している薬剤５０３が霧化されて吸液材５０４から、超音波発振機５０５の発熱による上昇気流も伴って飛散を始める。そして、ファン５０６が駆動されることで、図１５中矢印で示す上方に向けて薬剤５０３を含む空気が流れて空気中に拡散させることもできる。
【００８８】
そして、このような用時において、ボードケース１０４に収容されている複数の表示ボード１０５を、表裏を含めて入れ替えて更新することで、季節や気分及び好みに応じて、薬剤拡散装置５００の正面において、種々の意匠部１１５，１１６，１１７・・・による演出が行われることとなる。
【００８９】
以上説明したように、第５実施形態の薬剤拡散装置５００は、第１実施形態と同様の作用効果を奏するために、それらの説明は省略される。
【００９０】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００９１】
例えば、表示ボードの意匠部における絵柄は、図示したものに限定されることはなく、絵画に代えて、アニメーションキャラクターの画像や写真やカレンダー等を適宜適用することができることは言うまでもない。
【図面の簡単な説明】
【００９２】
【図１】本発明の第１実施形態に係る薬剤拡散装置の一部破断右側面図である。
【図２】図１の薬剤拡散装置の平面図である。
【図３】図１の薬剤拡散装置における表示ボードの更新を説明する正面図である。
【図４】図１の薬剤拡散装置における表示ボードの更新を説明する正面図である。
【図５】図１の薬剤拡散装置における表示ボードの更新を説明する正面図である。
【図６】本発明に係る薬剤拡散装置の第１変形例の一部破断側面図である。
【図７】本発明に係る薬剤拡散装置の第２変形例の一部破断側面図である。
【図８】本発明の第２実施形態に係る薬剤拡散装置の斜め正面から視た外観斜視図である。
【図９】図８の器体の断面を含む側面図である。
【図１０】本発明の第３実施形態に係る薬剤拡散装置の正面図である。
【図１１】図１０の平面図である。
【図１２】図１０の底面図である。
【図１３】本発明の第４実施形態に係る薬剤拡散装置の縦断面図である。
【図１４】図１３の薬剤拡散装置に適用されるボードケースの単体平面図である。
【図１５】本発明の第５実施形態に係る薬剤拡散装置の縦断面図である。
【符号の説明】
【００９３】
１００  薬剤拡散装置
１０１  容器（薬剤保持手段）
１０２  器体
１０３  発熱体（拡散手段）
１０４  ボードケース（表示更新手段）
１０５  表示ボード（表示更新手段）
１０７  吸液芯（薬剤保持手段）
２００  薬剤拡散装置
２０１  薬剤
２０４  ヒーター（拡散手段）
２０５  有機ＥＬディスプレイ（表示更新手段）
３００  薬剤拡散装置
３０４  薬剤保持体（薬剤保持手段）
３０５  チャンバ（拡散手段）
４００  薬剤拡散装置
４０１  薬剤
４０３  振動素子（拡散手段）
４１０  ケース本体（表示更新手段）
４１１  窓体（表示更新手段）
５００  薬剤拡散装置
５０３  薬剤
５０５  超音波発振機（拡散手段）
５０６  ファン（拡散手段）
【図１】
2009201430.tif 000003
【図２】
2009201430.tif 000004
【図３】
2009201430.tif 000005
【図４】
2009201430.tif 000006
【図５】
2009201430.tif 000007
【図６】
2009201430.tif 000008
【図７】
2009201430.tif 000009
【図８】
2009201430.tif 000010
【図９】
2009201430.tif 000011
【図１０】
2009201430.tif 000012
【図１１】
2009201430.tif 000013
【図１２】
2009201430.tif 000014
【図１３】
2009201430.tif 000015
【図１４】
2009201430.tif 000016
【図１５】
2009201430.tif 000017